(57)【特許請求の範囲】
【請求項１】
横並びの閉塞状態から先方に張り出すように折り畳まれて開放される複数枚の扉体と、前記複数枚の扉体を開閉自在に支持する枠体とを備え、前記各扉体の下端部に、閉塞状態で前記枠体に密接するシール部材を設けた、浴室と脱衣室とを仕切る折戸において、
隣接する前記両扉体の下端相互間に跨って配設され、前記両扉体を相互に回動自在に連結する連結部材と、
前記連結部材の下端に設けられ、隣接する前記両扉体の前記両シール部材に重なるように連続する部分シール部材と、を備え、
前記各シール部材は、前記各扉体の下端部から垂下した端部で、前記枠体の下枠に形成したレールに前記浴室側から密接し、
前記部分シール部材は、前記脱衣室側から前記レールを超えて下向きに湾曲した端部で、前記レールに浴室側から密接することを特徴とする折戸。
【請求項２】
前記連結部材は、連結部材本体と、当該連結部材本体の下端に装着した端部キャップとを有し、
前記部分シール部材は、前記端部キャップに装着されていることを特徴とする請求項１に記載の折戸。
【請求項３】
請求項１または２に記載の折戸を浴室の開口部に設置する折戸の設置構造において、
前記ガイドレールの上面と、浴室床と、脱衣室床とがほぼ面一に配設されていることを特徴とする折戸の設置構造。
【発明の詳細な説明】
【０００１】
【産業上の利用分野】
本発明は、例えば、浴室などに設けられ、一対の扉体を中央部で折曲げ自在に連結した折戸およびその設置構造に関するものである。
【０００２】
【従来の技術】
この種の従来の折戸として、例えば実開昭５８−３５８９号公報に記載のものが知られている。この折戸は、左右の扉体と、これを開閉自在に支持する枠体とから成り、左右の扉体は枠体の上枠および下枠に形成した上下のガイドレールに案内されて開閉する。各扉体の下端部には、閉塞状態で扉体と下枠との間をシールするシール片が垂下されている。この場合、一方の扉体におけるシール片の端部は、押さえ部材と共に他方の扉体側に延設され、両扉体を閉塞した状態で、両扉体の両シール片の端部が相互に重なり合うようになっている。
【０００３】
【発明が解決しようとする課題】
このような従来の折戸では、隣接する扉体のシール片同士が、見込み方向の端部相互間において重なるため、シール片間における漏水を有効に防止し得るものとなっている。しかし、両扉体を開放した状態では、シール片や押さえ部材の延設部分が、扉体の端から突出し、意匠上好ましくないばかりでなく、この部分に人（の足）が触れ易く、押さえ部材は危険な突起となり、シール片は変形や損傷を受け易くなる不具合が生ずる。
【０００４】
本発明は、開放状態等でシール部材が扉体から突出することなく、且つ隣接する扉体のシール部材同士の突合わせ部分を良好にシールすることができる折戸およびその設置構造を提供することをその目的としている。
【０００５】
【課題を解決するための手段】
本発明の折戸は、横並びの閉塞状態から先方に張り出すように折り畳まれて開放される複数枚の扉体と、複数枚の扉体を開閉自在に支持する枠体とを備え、各扉体の下端部に、閉塞状態で枠体に密接するシール部材を設けた、浴室と脱衣室とを仕切る折戸において、隣接する両扉体の下端相互間に跨って配設され、両扉体を相互に回動自在に連結する連結部材と、連結部材の下端に設けられ、隣接する両扉体の両シール部材に重なるように連続する部分シール部材と、を備え、各シール部材は、各扉体の下端部から垂下した端部で、枠体の下枠に形成したレールに浴室側から密接し、部分シール部材は、脱衣室側からレールを超えて下向きに湾曲した端部で、レールに浴室側から密接することを特徴とする。
【０００６】
この構成によれば、複数枚の扉体を閉塞した状態で、連結部材の下端に設けた部分シール部材が、隣接する両扉体の両シール部材に連なるため、部分シール部材を介して全扉体のシール部材が隙間なく連続する。この場合、部分シール部材は、隣接する両扉体の下端相互間に跨って配設した連結部材に設けられているため、扉体を開放しても、連結部材の下側に納まっていて、外方へ突出することがない。なお、部分シール部材とシール部材とは、相互の端部同士を、水密に突き合わせるようにしてもよいし、水密に重ね合わせるようにしてもよい。
また、この構成によれば、レールは見付け方向に連続しており、下枠に、水返し部のような突出のないバリアフリー設計の枠体に対しても、適切にシールを行うことができる。
【０００９】
またこの場合、連結部材は、連結部材本体と、連結部材本体の下端に装着した端部キャップとを有し、部分シール部材は、端部キャップに装着されていることが、好ましい。
【００１０】
この構成によれば、端部キャップを変更することで、部分シール部材を簡単に装着することができる。このことはまた、端部キャップのみを新たに製作することで、既存の折戸にも部分シール部材を容易に取り付けることができる。
【００１３】
また、本発明の折戸の設置構造は、請求項１または２に記載の折戸を浴室の開口部に設置する折戸の設置構造において、ガイドレールの上面と、浴室床と、脱衣室床とがほぼ面一に配設されていることを特徴とする。
【００１４】
この構成によれば、ガイドレールの上面と、浴室床と、脱衣室床とがほぼ面一に配設された構造上シールし難い浴室の開口部に対しても、適切なシールを行うことができる。
【００１５】
【発明の実施の形態】
以下、添付図面を参照して、本発明の一実施形態に係る折戸を浴室の中折戸に適用した場合について説明する。図１の縦断面図および図２の横断面図に示すように、この折戸１は、枠体２に左扉体３ａおよび右扉体３ｂを組み込んで構成され、左扉体３ａと右扉体３ｂとは、突き合わせた状態で、連結部材４を介して折曲げ自在に連結されている。枠体２は、押出し型材（アルミニウム製）で構成された上枠１１、下枠１２および両縦枠１３，１３を枠組みして成り、浴室Ａの開口部に取り付けられている。
【００１６】
上枠１１の下面および下枠１２の上面には、それぞれ見付け方向に延びる上ガイドレール１４ａおよび下ガイドレール１４ｂが突出形成されている。下ガイドレール１４ｂの上面は、浴室床Ａａおよび脱衣室床Ｂａとほぼ面一に配設され、いわゆるバリアフリー設計になっている。また、下枠１２の脱衣室Ｂ側には、先端が二股に分岐した鰭状気密部材１５が取り付けられ、同様に上枠１１および下枠１２にも気密部材１６が取り付けられ、これら鰭状気密部１５および気密部材１６により、左右両扉体３ａ，３ｂと枠体２との間が四周に亘ってシールされている。
【００１７】
左右各扉体３ａ，３ｂは、上框２１および下框２２に、縦框２３および連結縦框２４とを框組みすると共に、上框２１と下框２２との間に横桟２５を組み込み、これに上下のパネル体２６，２６を嵌め込んで構成されている。左扉体３ａの横桟２５には、脱衣室Ｂ側に引手部２７が形成され、浴室Ａ側に引手を兼ねるタオル掛け２８が取り付けられている。各扉体３ａ，３ｂの下框２２には、室内外を連通する開閉機構付きの換気ガラリ２９が形成されている。また、左扉体３ａの連結縦框２４の上端部および下端部には、それぞれラッチ機構３０が、右扉体３ｂの連結縦框２４には閉塞ロック機構３１が組み込まれている。さらに、各扉体３ａ，３ｂの縦框２３には、後述する上スライダ４２ａを上ガイドレール１４ａから離脱させる離脱機構３２が組み込まれている。
【００１８】
左右両扉体３ａ，３ｂの両連結縦框２４は、突合わせ側の端面が開放されており、この内部間に跨って、これらに収容されるように上記の連結部材４が取り付けられている。連結部材４は、両連結縦框２４間に内設され上下方向に延びる略半月形の閉塞部材（連結部材本体）３４と、閉塞部材３４の上下の小口にそれぞれ装着した上キャップ３５および下キャップ（端部キャップ）３６とで構成されている。左右両扉体３ａ，３ｂは、この上下両キャップ３５，３６をヒンジとして、閉塞部材３４により両扉体３ａ，３ｂ間に隙間が生じないように、開閉される。
【００１９】
各扉体３ａ，３ｂの下框２２には、その下端部の両内面に、下ガイドレール１４ｂを挟んで前後に第１シール部材３７および第２シール部材３８が取り付けられている。また、連結部材４の下キャップ３６の下端部には部分シール部材３９が取り付けられている。下框２２から垂下した第１シール部材３７と、下キャップ３６から垂下した部分シール部材３９とは、見込み方向に連なった状態で下ガイドレール１４ｂに密接している。第２シール部材３８は、下框２２の下端部外面まで回り込むように延びており、上記の鰭状気密部材１５に密接している。バリアフリー設計の本実施形態では、第１シール部材３７および部分シール部材３９により、浴室床Ａａからの走り水（排水）などを確実に止水および防水し、これらの劣化などにより、排水が脱衣室側に漏れることがあって、第２シール部材３８と鰭状気密部材１５とにより、防水できるようになっている。
【００２０】
一方、各扉体３ａ，３ｂの縦框２３には、上下のピンヒンジ４１，４１を介して上スライダ４２ａおよび下スライダ４２ｂがそれぞれ取り付けられ、各扉体３ａ，３ｂはこの上スライダ４２ａおよび下スライダ４２ｂにより、上ガイドレール１４ａおよび下ガイドレール１４ｂに、それぞれスライド自在に支持されている。ただし、右扉体３ｂの上下両スライダ４２ａ，４２ｂは、上下両ガイドレール１４ａ，１４ｂに不動に固定されている。
【００２１】
これにより、折戸１は、左扉体３ａと右扉体３ｂとが枠体２の幅いっぱいに横に並んだ閉扉位置と、左扉体３ａに右扉体３ｂを重ねるように折り畳んだ開扉位置との間で、開閉される。すなわち、閉扉位置から右扉体３ｂの横桟２５の引手部２７を斜め手前に引くことにより、左扉体３ａと右扉体３ｂが、それぞれピンヒンジ４１を中心に回動すると共に、右扉体３ｂの上下両スライダ４２ａ，４２ｂが上下両ガイドレール１４ａ，１４ｂに案内されて左側に移動し、同時に左扉体３ａと右扉体３ｂとが連結金具４の部分で折れ曲がって、左扉体３ａに右扉体３ｂが重なるように折り畳まれる（開放）。
【００２２】
次に、図３、図４および図５を参照して、下キャップ３６および部分シール部材３９について説明する。図４に示すように、下キャップ３６は、キャップ本体５１と、キャップ本体５１の上側にかしめるようにして固着したヒンジ金具５２とで構成されている。ヒンジ金具５２は、変形五角形のステンレスプレート５３に一対の折曲げ軸５４，５４を立設したものであり、この両折曲げ軸５４，５４に、それぞれ両連結縦框２４が軸支されている（図２参照）。キャップ本体５１は、閉塞部材３４の断面形状に合わせて略半月形に形成されており、その上面には、閉塞部材３４の小口に嵌合する一対の嵌合突起５５，５５が形成されている。
【００２３】
一方、キャップ本体５１の下面には、これを長手方向に縦断するようにシール取付溝５６が形成されている。シール取付溝５６は、円の一部を切り欠いた断面形状を有し、この切り欠いた部分が、キャップ本体５１の下面に開放されている。部分シール部材３９は、このシール取付溝５６に側方から挿入されることで、下キャップ３６に装着され且つ抜止め状態となる。
【００２４】
図５に示すように、部分シール部材３９は、見付け方向において上記のシール取付溝５６とほぼ同一の長さを有しており、また見込み方向において、シール取付溝５６の嵌合する中割れ形状の嵌合部６１と、嵌合部６１の下端から直交方向に延びる水平部６２と、水平部６２から下向きに湾曲して下方に延びる垂下部６３とで、一体に形成されている。この場合、嵌合部６１を硬質の樹脂とし、水平部６２および垂下部６３を軟質の樹脂として、一体に成形することが好ましい。垂下部６３の下端部は断面円形に膨出しており、この部分が下ガイドレール１４ｂの浴室Ａ側の側面に接触するようになっている。
【００２５】
図３（ａ）に示すように、閉塞部材３４に装着された下キャップ３６は、そのシール取付溝５６が脱衣室Ｂ側に寄って位置しており、これに取り付けた部分シール部材３９は、その水平部６２が下ガイドレール１４ｂを越えて浴室Ａ側に延び、且つその垂下部６３が浴室Ａ側から下ガイドレール１４ｂの側面に密接している。この場合、各扉体３ａ，３ｂに取り付けた第１シール部材３７も、その下端部が浴室Ａ側から下ガイドレール１４ｂの側面に密接している。そして同図（ｂ）に示すように、見付け方向において、この部分シール部材３９とその左右に位置する両第１シール部材３７，３７とは、端部同士が重なるようにして連続している。もちろん、部分シール部材３９とその左右の両第１シール部材３７，３７の端部同士が、突き合わされるようにしていもよい。
【００２６】
このような構成では、浴室床Ａａの排水が、閉塞状態の折戸１に向かって流れてきても、下ガイドレール１４ｂに接触する第１シール部材３７および部分シール部材３９により止水され、両扉体３ａ，３ｂと下枠２との間が確実にシールされる。特に、両扉体３ａ，３ｂから垂下した両第１シール部材３７，３７は、部分シール部材３９により連続性が確保されるため、両第１シール部材３７，３７間のシール性を格段に向上することができる。しかも、部分シール部材３７は、下キャップ３６の下面に装着されているため、両扉体３ａ，３ｂを折り畳んだ（開放）した状態でも、下キャップ３６や両扉体３ａ，３ｂから外方に突出することがない。したがって、部分シール部材３９は、折戸１の意匠性を損なうことがなく、且つ部分シール部材３９自体が損傷を受けることが少ない。
【００２７】
また、下キャップ３６を外すことで、部分シール部材３９を簡単に交換することができ、且つ、下キャップ３９を交換することで、既設の折戸１にも部分シール部材３９を簡単に取り付けることができる。
【００２８】
なお、本実施形態では、浴室用の折戸について説明したが、勝手口折戸などの他の折戸にも適用できることは、いうまでもない。また、本実施形態では部分シール部材を連結部材に取り付けているが、連結部材以外の両扉体間に跨る部材に設けるようにしてもよい。
【００２９】
【発明の効果】
以上のように本発明の折戸およびその設置構造によれば、扉体を閉塞した状態で、橋渡し部材の下端部に設けた部分シール部材を介して全扉体のシール部材が見付け方向に隙間なく連続ため、この部分のシール性を向上させることができると共に、扉体を開放しても、部分シール部材が外方に突出するのを防止することができる。したがって、出入口がフラットな折戸であっても、意匠性を損なうことなく、シール性に関する信頼性を向上させることができる。
【図面の簡単な説明】
【図１】本発明の一実施形態に係る折戸の縦断面図である。
【図２】一実施形態に係る折戸の横断面図である。
【図３】連結部材の端部キャップおよび部分シール部材廻りの拡大縦断面図である。
【図４】連結部材の端部キャップの構造図である。
【図５】部分シール部材の拡大側面図である。
【符号の説明】
１  折戸、２  枠体、３ａ  左扉体、３ｂ  右扉体、４  連結部材、１２  下枠、１４ｂ  下ガイドレール、２２  下框、２４  連結縦框、３４  閉塞部材、３６  下キャップ、３７  第１シール部材、３９  部分シール部材、５１  キャップ本体、Ａ  浴室、Ａａ  浴室床、Ｂ  脱衣室、Ｂａ  脱衣室床
【図１】
0003634171.tif 000002
【図２】
0003634171.tif 000003
【図３】
0003634171.tif 000004
【図４】
0003634171.tif 000005
【図５】
0003634171.tif 000006